(57)【要約】【課題】  ドレン水の蒸発効率の低下を抑制したドレンパンユニットおよびそれを備えたスターリング冷却庫を提供する。【解決手段】  ドレンパンユニット３００は、ドレンパイプ２からのドレン水３０を貯留するためのドレンパンユニットであって、底壁部３０Ａおよび側壁部３０Ｂを有するドレンパン３と、ドレンパン３に取付けられ、ドレン水３０表面の浮遊物を捕捉する針状突起物４Ａとを備える。ドレンパン３の上方には、ファンモータ１が設けられている。ファンモータ１は、浮遊物をドレン水３０表面上で移動させるような気流を生じさせる。【選択図】        図１
2005282926.tif 000002
【特許請求の範囲】
【請求項１】
ドレン水を貯留し、前記ドレン水に向けて気流を発生させる送気手段を備えたドレンパンユニットであって、
底壁部および側壁部を有するドレンパン本体部と、
前記ドレンパン本体部に設けられ、前記ドレン水における浮遊物を捕捉する浮遊物捕捉手段とを備えたドレンパンユニット。
【請求項２】
前記浮遊物捕捉手段は前記ドレンパン本体部の周縁部に配置される、請求項１に記載のドレンパンユニット。
【請求項３】
前記浮遊物捕捉手段は前記ドレンパン本体部に着脱自在に取付けられる、請求項１または請求項２のいずれかに記載のドレンパンユニット。
【請求項４】
ドレン水を貯留し、前記ドレン水に向けて気流を発生させる送気手段を備えたドレンパンユニットであって、
底壁部および側壁部を有するドレンパン本体部と、
前記ドレンパン本体部上に設けられ、通気性を有する一方で異物の通過を抑制するフィルタを有する蓋部とを備えたドレンパンユニット。
【請求項５】
前記ドレンパンユニットが取付けられる機器の第１ドレンパイプと接続可能な第２ドレンパイプを前記蓋部に取付けた、請求項４に記載のドレンパンユニット。
【請求項６】
低温部と高温部とを有するスターリング冷凍機と前記低温部からの冷熱により冷却される冷却室とを含む冷却庫本体と、
前記冷却庫本体からの除霜水が導かれる請求項１から請求項５のいずれかに記載のドレンパンユニットとを備えたスターリング冷却庫。
【発明の詳細な説明】
【技術分野】
【０００１】
本発明は、ドレンパンユニット（ｄｒａｉｎ  ｐａｎ  ｕｎｉｔ）およびスターリング冷却庫（Ｓｔｉｒｌｉｎｇ  Ｒｅｆｒｉｇｅｒａｔｏｒ／Ｆｒｅｅｚｅｒ）に関し、特に、ドレン水の蒸発効率の低下を抑制したドレンパンユニットおよびそれを備えたスターリング冷却庫に関する。
【背景技術】
【０００２】
空気調和機におけるドレン水や、冷却庫における除霜処理を行なった際に生じる除霜水などを回収するドレンパンが、従来から知られている。
【０００３】
ドレンパン上において、所定の方向へ空気の流れを形成することが、従来から行なわれている。
【０００４】
たとえば、特開平１１−６６８０号公報（従来例１）においては、蒸発皿近傍において所定の方向へ空気の流れを形成する蒸発処理手段を備えた冷蔵庫が開示されている。これにより、蒸発皿から蒸発した水蒸気を外部へと円滑に逃がすことが可能となる。
【０００５】
一方、逆スターリングサイクルによる熱交換を冷却庫に適用したものとして、たとえば、特開２００３−５００７３号公報（従来例２）に記載されたものなどが挙げられる。
【０００６】
従来例２においては、逆スターリングサイクルによる作動ガスの圧縮熱を外部に放熱するための高温部と、逆スターリングサイクルによる作動ガスの膨張熱を外部から吸熱するための低温部と、低温部に熱的に結合された低温側凝縮器および複数の低温側蒸発器をサーモサイフォンを構成するように連結した閉回路からなる低温側循環回路とを備え、低温部の冷熱を搬送する冷熱搬送媒体を低温側循環回路内に封入したことを特徴とするスターリング冷凍システムが開示されている。
【特許文献１】特開平１１−６６８０号公報
【特許文献２】特開２００３−５００７３号公報
【発明の開示】
【発明が解決しようとする課題】
【０００７】
しかしながら、上記のような冷却庫においては、以下のような問題があった。
【０００８】
冷却庫などの継続的な使用により、ドレン水の表面に、埃などが浮遊するようになる。この浮遊物によってドレン水の表面が覆われることにより、ドレン水の蒸発効率が低下する。
【０００９】
これに対し、従来例１，２においては、このような浮遊物によりドレン水の蒸発が阻害されるのを抑制する手段は備えられていない。
【００１０】
本発明は、上記のような問題に鑑みてなされたものであり、本発明の目的は、ドレン水の蒸発効率の低下を抑制したドレンパンユニットおよびそれを備えたスターリング冷却庫を提供することにある。
【課題を解決するための手段】
【００１１】
本発明に係るドレンパンユニットは、浮遊物によりドレン水の蒸発が阻害されるのを抑制する手段を備える。
【００１２】
すなわち、上記ドレンパンユニットは、１つの局面では、ドレン水を貯留し、該ドレン水に向けて気流を発生させる送気手段を備えたドレンパンユニットであって、底壁部および側壁部を有するドレンパン本体部と、ドレンパン本体部に設けられ、ドレン水における浮遊物を捕捉する浮遊物捕捉手段とを備える。
【００１３】
これにより、ドレン水表面に浮遊する浮遊物を捕捉し、該浮遊物によってドレン水の水面が覆われるのを抑制することができる。この結果、ドレンパンに溜まったドレン水の蒸発効率の低下を抑制することができる。
【００１４】
浮遊物捕捉手段は前記ドレンパン本体部の周縁部に配置されることが好ましい。
【００１５】
これにより、浮遊物を浮遊物捕捉手段に効率よく集めることができる。
【００１６】
浮遊物捕捉手段はドレンパン本体部に着脱自在に取付けられることが好ましい。
【００１７】
これにより、浮遊物捕捉手段に集められた異物を用意に除去することができる。
【００１８】
本発明に係るドレンパンユニットは、他の局面では、ドレン水を貯留し、該ドレン水に向けて気流を発生させる送気手段を備えたドレンパンユニットであって、底壁部および側壁部を有するドレンパン本体部と、ドレンパン本体部上に設けられ、通気性を有する一方で異物の通過を抑制するフィルタを有する蓋部とを備える。
【００１９】
これにより、ドレンパン本体部内に異物が入り込むのを抑制することができる。したがって、ドレン水表面が異物で覆われるのを抑制することができ、結果として、ドレンパンに溜まったドレン水の蒸発効率の低下を抑制することができる。
【００２０】
ドレンパンユニットが取付けられる機器の第１ドレンパイプと接続可能な第２ドレンパイプを蓋部に取付けることが好ましい。
【００２１】
これにより、ドレンパンユニットのデバイスへの取付けが容易になる。
【００２２】
本発明に係るスターリング冷却庫は、低温部と高温部とを有するスターリング冷凍機と低温部からの冷熱により冷却される冷却室とを含む冷却庫本体と、冷却庫本体からの除霜水が導かれる上述したドレンパンユニットとを備える。
【００２３】
本発明に係るドレンパンユニットにおいては、上述したとおり、ドレンパンに溜まったドレン水の蒸発効率の低下を抑制している。したがって、除霜水の蒸発効率の高いスターリング冷却庫を得ることができる。
【発明の効果】
【００２４】
本発明によれば、１つの局面では浮遊物捕捉手段を設けることにより、他の局面ではフィルタを設けることにより、ドレン水表面を浮遊物が覆うのを抑制することができ、結果としてドレンパンに溜まったドレン水の蒸発効率の低下を抑制することができる。
【発明を実施するための最良の形態】
【００２５】
以下に、本発明に基づくドレンパンユニットおよびスターリング冷却庫の実施の形態について、図１から図８を用いて説明する。
【００２６】
なお、本願明細書において、「冷却庫」とは、「冷蔵庫」、「冷凍庫」および「冷凍冷蔵庫」の全てを含む概念である。
【００２７】
（実施の形態１）
図１は、実施の形態１に係るドレンパンユニット３００を示す図である。
【００２８】
本実施の形態に係るドレンパンユニット３００は、ドレンパイプ２からのドレン水３０を貯留するためのドレンパンユニットであって、図１に示すように、底壁部３０Ａおよび側壁部３０Ｂを有するドレンパン３（ドレンパン本体部）と、ドレンパン３に取付けられ、ドレン水３０表面の浮遊物を捕捉する針状突起物４Ａ（浮遊物捕捉手段）とを備える。ドレンパン３の上方には、ファンモータ１（送気手段）が設けられている。ファンモータ１は、浮遊物をドレン水３０表面上で移動させるような気流を生じさせる。
【００２９】
なお、図１および後述する図２〜図６においては、ドレン水３０の水面を二点鎖線で表している。
【００３０】
ファンモータ１と針状突起物４Ａとは、それぞれドレンパンにおける底壁部３０Ａの周縁部に配置されている。なお、それらは、互いに逆側の周縁部に配置される。
【００３１】
上記気流により、ドレン水３０上に浮遊する異物が針状突起物４Ａ側に集められる。集められた異物は、針状突起物４Ａによって捕捉される。
【００３２】
ドレンパンユニット３００は、典型的には、スターリング冷却庫などの冷却庫に取付けられる。したがって、ドレン水は、典型的には冷却庫からの除霜水である。ただし、ドレンパンユニット３００をそれ以外のデバイス（たとえば空気調和機など）に装着することも可能である。
【００３３】
上述した針状突起物４Ａを備えることにより、ドレン水３０表面に浮遊する浮遊物を捕捉し、該浮遊物によってドレン水の水面が覆われるのを抑制することができる。この結果、ドレンパン３に溜まったドレン水の蒸発効率の低下を抑制することができる。
【００３４】
また、ファンモータ１を設け、ファンモータ１と針状突起物４Ａとを互いに底壁部３０Ａの逆側の周縁部に配置することにより、ファンモータ１からの気流（図１中の白抜き矢印）を用いて、ドレン水３０上の浮遊物を針状突起物４Ａに効率よく集めることができる。
【００３５】
（実施の形態２）
図２は、実施の形態２に係るドレンパンユニット３００を示す図である。
【００３６】
本実施の形態に係るドレンパンユニット３００は、実施の形態１に係るドレンパンユニットの変形例であって、図２に示すように、針状突起物４Ａ（浮遊物捕捉手段）をベース４Ｂ上に設け、ドレンパン３（本体部）に着脱自在に取付けた点で、実施の形態１と異なる。
【００３７】
本実施の形態においては、針状突起物４Ａをドレンパン３に着脱自在に取付けることにより、針状突起物４Ａに集められた異物を用意に除去することができる。
【００３８】
なお、本実施の形態において、実施の形態１と同様の事項については、詳細な説明は繰り返さない。
【００３９】
（実施の形態３）
図３は、実施の形態３に係るドレンパンユニット３００を示す図である。
【００４０】
本実施の形態に係るドレンパンユニット３００は、実施の形態１に係るドレンパンユニットの変形例であって、図３に示すように、浮遊物捕捉手段としてリブ状突起物５を用いた点で、実施の形態１と異なる。
【００４１】
本実施の形態においても、ドレン水３０上に浮遊する異物が、ファンモータ１が発生させる気流により、該リブ状突起物５によって囲まれた領域内集められる。結果として、実施の形態１と同様の効果を奏する。
【００４２】
なお、本実施の形態において、上述した各実施の形態と同様の事項については、詳細な説明は繰り返さない。
【００４３】
（実施の形態４）
図４は、実施の形態４に係るドレンパンユニット３００を示す図である。
【００４４】
本実施の形態に係るドレンパンユニット３００は、実施の形態３に係るドレンパンユニットの変形例であって、図４に示すように、リブ状突起物５（浮遊物捕捉手段）をドレンパン３（本体部）に着脱自在に取付けた点で、実施の形態３と異なる。
【００４５】
本実施の形態においては、リブ状突起物５をドレンパン３に着脱自在に取付けることにより、針状突起物４Ａに集められた異物を用意に除去することができる。
【００４６】
なお、本実施の形態において、上述した各実施の形態と同様の事項については、詳細な説明は繰り返さない。
【００４７】
（実施の形態５）
図５は、実施の形態５に係るドレンパンユニット３００を示す図である。なお、図５（ａ）は、ドレンパンユニット３００の斜視図であり、図５（ｂ）は、ドレンパンユニット３００におけるドレンパン３の内部を示す断面図である。
【００４８】
本実施の形態に係るドレンパンユニット３００は、ドレン水を貯留するためのドレンパンユニットであって、底壁部３０Ａおよび側壁部３０Ｂを有するドレンパン３（本体部）と、ドレンパン３上に設けられ、通気性を有する一方で異物の通過を抑制する防塵フィルタ６（フィルタ）を有するドレンパン用フタ３Ａ（蓋部）とを備える。なお、防塵フィルタ６の下側には、ドレン水に向けて気流を発生させるファンモータ１（送気手段）が取付けられている。
【００４９】
なお、ドレンパイプ２は、ドレンパン用フタ３Ａを貫通してドレンパン３内に達している。
【００５０】
ファンモータ１を回転させると、防塵フィルタ１を通じて比較的乾いた空気がドレンパン３内に導かれる（図５（ｂ）内の実線矢印）。ドレンパン３内に導かれた空気は、ドレン水３０上に供給され、ドレン水３０の蒸発を促進する。蒸発したドレン水３０を含む空気は、主にドレンパン３とドレンパン用フタ３Ａの隙間から、ドレンパン３の外部へと排出される（図５（ｂ）中の白抜き矢印）。
【００５１】
本実施の形態においては、ドレンパン３上に防塵フィルタ６を備えることにより、ドレンパン３内に異物が入り込むのを抑制することができる。したがって、ドレン水表面が異物で覆われるのを抑制することができ、結果として、ドレンパンに溜まったドレン水の蒸発効率の低下を抑制することができる。
【００５２】
また、ファンモータ１を備えることにより、ドレン水３０上に比較的乾燥した空気を供給しやすくなるので、ドレン水の蒸発効率の低下を抑制することができる。
【００５３】
（実施の形態６）
図６は、実施の形態６に係るドレンパンユニット３００を示した図である。なお、図６（ａ）は、ドレンパンユニット３００を設置状態から移動させた状態を示す断面図であり、図６（ｂ）は、ドレンパンユニット３００の設置状態を示す断面図である。
【００５４】
本実施の形態に係るドレンパンユニット３００は、実施の形態５に係るドレンパンユニット３００の変形例であって、ドレンパンユニット３００が取付けられる機器のドレンパイプ（第１ドレンパイプ２Ａ）と、ドレンパン用フタ３Ａを貫通するドレンパイプ（第２ドレンパイプ２Ｂ）とを分離可能に接続するような構造とした点で、実施の形態５と異なる。
【００５５】
上記について換言すると、ドレンパンユニット３００が取付けられる機器（たとえば冷却庫など）の第１ドレンパイプ２Ａと接続可能な第２ドレンパイプ２Ｂが、ドレンパン用フタ３Ａに取付けられている。
【００５６】
本実施の形態においては、上記の構成により、ドレンパンユニットのデバイスへの取付けが容易になる。
【００５７】
なお、本実施の形態において、実施の形態５と同様の事項については、詳細な説明は繰り返さない。
【００５８】
（実施の形態７）
図７は、実施の形態７に係るスターリング冷却庫の一例を示す図である。
【００５９】
本実施の形態に係るスターリング冷却庫は、上述した実施の形態１〜６に係るドレンパンユニットを備える。
【００６０】
図７を参照して、スターリング冷却庫１１は、冷却空間として冷凍空間と冷蔵空間との少なくとも一方を備える。スターリング冷凍機１２は、ウォームヘッド（高温部）とコールドヘッド（低温部）とを備える。
【００６１】
スターリング冷却庫１１は、スターリング冷凍機１２のウォームヘッドの冷却を行なう高温側熱搬送サイクル（放熱システム）と、冷却庫内とスターリング冷凍機１２のコールドヘッドとの熱交換を行なう低温側熱搬送サイクル（吸熱システム）とを備えている。
【００６２】
低温側熱搬送サイクルは、スターリング冷凍機１２のコールドヘッドの周囲に接触して取り付けられた低温側凝縮器と、低温側戻り管および低温側導管からなる低温側冷媒通路１６により低温側凝縮器と接続された低温側蒸発器１５とから構成された循環回路である。なお、図７においては、互いに分離した低温側戻り管および低温側導管を合わせて低温側冷媒通路１６として表示している。
【００６３】
上記循環回路内には二酸化炭素や炭化水素などが冷媒として封入されている。低温側凝縮器において凝縮した冷媒は低温側導管を介して低温側蒸発器１５に達する。低温側蒸発器１５において冷媒が蒸発することで熱交換が行なわれる。熱交換の後、ガス化された冷媒は、低温側戻り管を介して低温側凝縮器に戻る。このように、冷媒の蒸発と凝縮とによる自然循環を利用して、コールドヘッドで発生した冷熱を伝達することができるように、低温側蒸発器１５を低温側凝縮器より下方に配置している。
【００６４】
図７に示すように、スターリング冷凍機１２は、冷却庫本体１１Ａ背面の上部に配置される。また、吸熱システムは冷却庫本体背面１１Ｂ側に配置され、放熱システムは冷却庫本体１１Ａの上部側に配置される。なお、低温側蒸発器１５は、冷却庫本体背面１１Ｂ側に設けられた冷気ダクト１５Ａに内設され、高温側凝縮器１３は冷却庫本体１１Ａの上部に設けられたダクト１３Ａに内設される。
【００６５】
スターリング冷凍機１２を作動させると、該冷凍機１２のウォームヘッドで発生した熱が、高温側凝縮器１３を介してダクト１３Ａ内の空気と熱交換される。このとき、送風ファン１４により、ダクト１３Ａ内の暖かい空気がスターリング冷却庫１１の庫外へ排出されるとともに、スターリング冷却庫１１の庫外の空気が取り込まれ、熱交換が促進される。
【００６６】
一方、スターリング冷凍機１２のコールドヘッドで発生した冷熱は、低温側蒸発器１５を介して冷気ダクト１５Ａ内の空気と熱交換される。このとき、庫内冷却ファン１７により、低温側蒸発器１５で冷却された冷気が冷却庫内（冷却空間）に送風される。冷却空間からの暖かくなった気流は、冷気ダクト１５Ａを介して再び低温側蒸発器１５に送られ、繰り返し冷却される。
【００６７】
上述した冷却サイクルの実施に伴い、冷却庫内（たとえば低温側蒸発器１５周辺など）に着霜が生じる。これに対し、冷媒の流れを適宜調整することで、除霜を行なう。この除霜方法については、一般によく知られた技術を援用可能であるので、詳細な説明は行なわない。
【００６８】
上述した除霜を実施することで、除霜水が発生する。除霜水は、冷気ダクト１５Ａからドレンパイプ１８を介して、冷却庫本体底面１１Ｃの下部に設置されたドレンパン１９（蒸発皿）に導かれる。ドレンパン１９の上部には、送風ファン２０が設けられており、該送風ファン２０によってドレンパン１９内に溜まった除霜水表面近傍に気流が形成され、比較的乾いた空気が除霜水上に供給されるので、除霜水の蒸発が促進される。
【００６９】
図８は、スターリング冷凍機１２の構造の一例を示した側断面図である。
【００７０】
図８に示すように、本実施の形態のスターリング冷凍機１２は、ケーシング１０２と、該ケーシング１０２に組付けられたシリンダ１０３と、シリンダ１０３内で往復動するピストン１０４およびディスプレーサ１０５と、再生器１０６と、圧縮空間１０７ａと膨張空間１０７ｂとを含む作動空間１０７と、放熱部（ウォームヘッド）１０８と、吸熱部（コールドヘッド）１０９と、ピストン駆動手段としてのリニアモータ１１３と、ピストンスプリング１１４と、ディスプレーサスプリング１１５と、ディスプレーサロッド１１６と、背圧空間１１７とを備える。
【００７１】
ケーシング１０２は、スターリング冷凍機１２の外殻（外壁）を構成する部分であり、シリンダ１０３をはじめとする種々の部品が該ケーシング１０２に組付けられる。図８の例では、ケーシング１０２は、単一の容器で構成されず、背圧空間１１７を規定するとともにリニアモータ１１３、ピストンスプリング１１４およびディスプレーサスプリング１１５を受け入れるベッセル部分と、放熱部１０８、再生器１０６および吸熱部１０９の外壁部分とで主に構成される。該ケーシング１０２の内部には、ヘリウムガスや水素ガス、窒素ガスなどの作動媒体が充填される。
【００７２】
シリンダ１０３は、略円筒状の形状を有し、内部にピストン１０４とディスプレーサ１０５とを往復動可能に受け入れる。シリンダ１０３内において、ピストン１０４とディスプレーサ１０５とは同軸上に間隔をあけて配置され、このピストン１０４およびディスプレーサ１０５によってシリンダ１０３内の作動空間１０７が圧縮空間１０７ａと膨張空間１０７ｂとに区画される。より詳しくは、作動空間１０７は、ピストン１０４におけるディスプレーサ１０５側の端面よりもディスプレーサ１０５側に位置する空間であり、ピストン１０４とディスプレーサ１０５との間に圧縮空間１０７ａが形成され、ディスプレーサ１０５と吸熱部１０９との間に膨張空間１０７ｂが形成される。圧縮空間１０７ａは主に放熱部１０８によって囲まれ、膨張空間１０７ｂは主に吸熱部１０９によって囲まれている。
【００７３】
圧縮空間１０７ａと膨張空間１０７ｂとの間には再生器１０６が配設されており、この再生器１０６を介してこれら両空間が連通する。それにより、スターリング冷凍機２内に閉回路が構成される。この閉回路内に封入された作動媒体が、ピストン１０４およびディスプレーサ１０５の動作に合わせて流動することにより、逆スターリングサイクルが実現する。
【００７４】
シリンダ１０３の外側に位置する背圧空間１１７にはリニアモータ１１３を配設する。リニアモータ１１３は、インナーヨーク１１０と、可動マグネット部１１１と、アウターヨーク１１２とを有し、このリニアモータ１１３によって、シリンダ１０３の軸方向にピストン１０４を駆動する。
【００７５】
ピストン１０４の一端は、板バネなどで構成されるピストンスプリング１１４と接続される。該ピストンスプリング１１４は、ピストン１０４に弾性力を付与する弾性力付与手段として機能する。該ピストンスプリング１１４に弾性力を付加することにより、シリンダ１０３内でピストン１０４をより安定して周期的に往復動させることが可能となる。ディスプレーサ１０５の一端は、ディスプレーサロッド１１６を介してディスプレーサスプリング１１５と接続される。ディスプレーサロッド１１６はピストン１０４を貫通して配設され、ディスプレーサスプリング１１５は板バネなどで構成される。該ディスプレーサスプリング１１５の周縁部と、ピストンスプリング１１４の周縁部は、リニアモータ１１３からピストン１０４の背圧空間１１７側（以下、後方と称する場合がある。）に延びる支持部材により支持される。
【００７６】
ピストン１０４に対しディスプレーサ１０５と反対側には、ケーシング１０２のベッセル部分によって囲まれた背圧空間１１７が配設されている。背圧空間１１７は、ケーシング１０２のベッセル部分内でピストン１０４の周囲に位置する外周領域と、ケーシング１０２のベッセル部分内でピストン１０４よりもピストンスプリング１１４側（後方側）に位置する後方領域とを含む。この背圧空間１１７内にも、作動媒体が存在する。
【００７７】
次に、スターリング冷凍機１２の動作について説明する。
【００７８】
まず、リニアモータ１１３を作動させてピストン１０４を駆動する。リニアモータ１１３によって駆動されたピストン１０４は、ディスプレーサ１０５に接近し、圧縮空間１０７ａ内の作動媒体（作動ガス）を圧縮する。
【００７９】
ピストン１０４がディスプレーサ１０５に接近することにより、圧縮空間１０７ａ内の作動媒体の温度は上昇するが、放熱部１０８によってこの圧縮空間１０７ａ内に発生した熱が外部へと放出される。そのため、圧縮空間１０７ａ内の作動媒体の温度はほぼ等温に維持される。すなわち、本過程は、逆スターリングサイクルにおける等温圧縮過程に相当する。
【００８０】
ピストン１０４がディスプレーサ１０５に接近した後にディスプレーサ１０５は吸熱部１０９側に移動する。他方、ピストン１０４によって圧縮空間１０７ａ内において圧縮された作動媒体は再生器１０６内に流入し、さらに膨張空間１０７ｂへと流れ込む。その際、作動媒体の持つ熱が再生器１０６に蓄熱される。すなわち、本過程は、逆スターリングサイクルの等容冷却過程に相当する。
【００８１】
膨張空間１０７ｂ内に流入した高圧の作動媒体は、ディスプレーサ１０５がピストン１０４側（ケーシング１０２のベッセル部分の後端側）へ移動することにより膨張する。このようにディスプレーサ１０５が後方側へ移動するのに伴い、ディスプレーサスプリング１１５の中央部も後方側に突出するように変形する。
【００８２】
上記のように膨張空間１０７ｂ内で作動媒体が膨張することにより、膨張空間１０７ｂ内の作動媒体の温度は下降するが、吸熱部１０９によって外部の熱が膨張空間１０７ｂ内へと伝熱されるため、膨張空間１０７ｂ内はほぼ等温に保たれる。すなわち、本過程は、逆スターリングサイクルの等温膨張過程に相当する。
【００８３】
その後、ディスプレーサ１０５がピストン１０４から遠ざかる方向に移動し始める。それにより、膨張空間１０７ｂ内の作動媒体は再生器１０６を通過して再び圧縮空間１０７ａ側へと戻る。その際に再生器１０６に蓄熱されていた熱が作動媒体に与えられるため、作動媒体は昇温する。すなわち、本過程は、逆スターリングサイクルの等容加熱過程に相当する。
【００８４】
この一連の過程（等温圧縮過程−等容冷却過程−等温膨張過程−等容加熱過程）が繰り返されることにより、逆スターリングサイクルが構成される。この結果、吸熱部１０９は徐々に低温になり、極低温を有するに至る。
【００８５】
本実施の形態に係るスターリング冷却庫について要約すると、以下のようになる。
【００８６】
本実施の形態に係るスターリング冷却庫１１は、１つの局面では、吸熱部１０９（低温部）と放熱部１０８（高温部）とを有するスターリング冷凍機１２と吸熱部１０９からの冷熱により冷却される冷却室とを含む冷却庫本体１１Ａと、冷却庫本体１１Ａからの除霜水を貯留するためのドレンパン１９（本体部）およびドレンパン１９に取付けられた除霜水表面の浮遊物を捕捉する浮遊物捕捉手段（図７中には図示せず）を含むドレンパンユニットとを備える。
【００８７】
本実施の形態に係るスターリング冷却庫１１は、他の局面では、吸熱部１０９と放熱部１０８とを有するスターリング冷凍機１２と吸熱部１０９からの冷熱により冷却される冷却室とを含む冷却庫本体１１Ａと、冷却庫本体１１Ａからの除霜水を貯留するためのドレンパン１９およびドレンパン用フタ（図７中では図示せず）を含むドレンパンユニットとを備える。
【００８８】
以上、本発明の実施の形態について説明したが、上述した各実施の形態の特徴部分を適宜組み合わせることは、当初から予定されている。また、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【００８９】
【図１】本発明の実施の形態１に係るドレンパンユニットを示した図である。
【図２】本発明の実施の形態２に係るドレンパンユニットを示した図である。
【図３】本発明の実施の形態３に係るドレンパンユニットを示した図である。
【図４】本発明の実施の形態４に係るドレンパンユニットを示した図である。
【図５】本発明の実施の形態５に係るドレンパンユニットを示し、（ａ）は斜視図であり、（ｂ）は断面図である。
【図６】本発明の実施の形態６に係るドレンパンユニットを示し、（ａ）は冷却庫本体からの取り外しのために移動させた状態を示す断面図であり、（ｂ）は冷却庫本体への取付け状態を示す断面図である。
【図７】本発明の実施の形態７に係るスターリング冷却庫の全体構成の一例を示した図である。
【図８】本発明の実施の形態７に係るスターリング冷却庫におけるスターリング冷凍機を示した図である。
【符号の説明】
【００９０】
１  ファンモータ、２  ドレンパイプ、２Ａ  第１ドレンパイプ、２Ｂ  第２ドレンパイプ、３  ドレンパン、３Ａ  ドレンパン用フタ、４Ａ  針状突起物、４Ｂ  ベース、５  リブ状突起物、６  防塵フィルタ、１１  スターリング冷却庫、１１Ａ  冷却庫本体、１１Ｂ  冷却庫本体背面、１１Ｃ  冷却庫本体底面、１２  スターリング冷凍機、１３  高温側凝縮器、１３Ａ  ダクト、１４  放熱ファン、１５  低温側蒸発器、１５Ａ  冷気ダクト、１６  低温側冷媒通路、１７  庫内冷却ファン、１８  ドレンパイプ、１９  ドレンパン、２０  送風ファン、３０  ドレン水、３０Ａ  底壁部、３０Ｂ  側壁部、１０２  ケーシング、１０３  シリンダ、１０４  ピストン、１０５  ディスプレーサ、１０６  再生器、１０７  作動空間、１０７ａ  圧縮空間、１０７ｂ  膨張空間、１０８  放熱部、１０９  吸熱部、１１０  インナーヨーク、１１１  可動マグネット部、１１２  アウターヨーク、１１３  リニアモータ、１１４  ピストンスプリング、１１５  ディスプレーサスプリング、１１６  ディスプレーサロッド、１１７  背圧空間、３００  ドレンパンユニット。
【図１】
2005282926.tif 000003
【図２】
2005282926.tif 000004
【図３】
2005282926.tif 000005
【図４】
2005282926.tif 000006
【図５】
2005282926.tif 000007
【図６】
2005282926.tif 000008
【図７】
2005282926.tif 000009
【図８】
2005282926.tif 000010